(57)【要約】      （修正有）【課題】顧客のキャンペーンへの参加率を上昇させて店の販売促進を効果的に行うことができる販売促進用台紙を提供する。【解決手段】この販売促進用台紙１０は、しるしを付するための複数の位置ガイド部１１と、複数の位置ガイド部１１を囲む枠１３と、を備え、店が定める特定のしるしを顧客が集め、当該顧客が所定数のしるしを位置ガイド部１１に付することによって、当該顧客がしるしの所定数に応じた特典を獲得することができるものであって、顧客が前記店で使用することができるクーポンを表示するクーポン表示部２１を備える。【選択図】図１
0003204782.tif 000002
【実用新案登録請求の範囲】
【請求項１】
しるしを付するための複数の位置ガイド部と、
前記複数の位置ガイド部を囲む枠と、
を備え、
店が定める特定のしるしを顧客が集め、当該顧客が所定数の前記しるしを前記位置ガイド部に付することによって、当該顧客が前記しるしの所定数に応じた特典を獲得することができる販売促進用台紙において、
前記顧客が前記店で使用することができるクーポンを表示するクーポン表示部を備えることを特徴とする販売促進用台紙。
【請求項２】
請求項１に記載の販売促進用台紙において、
前記クーポン表示部が、前記枠の外に配置されることを特徴とする販売促進用台紙。
【請求項３】
請求項１又は２に記載の販売促進用台紙において、
前記クーポンは、前記特典の一つであることを特徴とする販売促進用台紙。
【請求項４】
請求項１〜３のいずれか１項に記載の販売促進用台紙において、
前記クーポンは、前記顧客が前記店の商品を割引で買うことができる割引券であることを特徴とする販売促進用台紙。
【請求項５】
請求項１〜３のいずれか１項に記載の販売促進用台紙において、
前記クーポンは、前記顧客が前記店の商品を数日間割引で買うことができるクーポンパスであることを特徴とする販売促進用台紙。
【請求項６】
請求項１〜３のいずれか１項に記載の販売促進用台紙において、
前記クーポンは、前記顧客が前記店の商品を割引で買うことができる複数の割引券を一綴りにしたもぎりであることを特徴とする販売促進用台紙。
【請求項７】
請求項１に記載の販売促進用台紙において、
前記クーポン表示部が、当該販売促進用台紙と別体の紙に備えられることを特徴とする販売促進用台紙。
【考案の詳細な説明】
【技術分野】
【０００１】
本考案は、店などが定める特定のしるしを顧客が集め、当該顧客がしるしの所定数に応じた特典を獲得することができる販売促進用台紙に関するものである。
【背景技術】
【０００２】
種々の販売促進を実施している小売店や製造業者等は多い。販売促進を実施することによって、顧客の維持や顧客の獲得につながることとなるからである。
【０００３】
販売促進のためのキャンペーンとしては、例えば、下記特許文献１や２に記載されているくじによる抽選などがある。従来から、三角くじや回転抽選機を用いた抽選が知られている。一般的に、くじの箱や回転抽選機などが店舗の一画に設置されて抽選会が行われる。
【先行技術文献】
【特許文献】
【０００４】
【特許文献１】特開２００９−８６４７７号公報
【特許文献２】実用新案登録第３０８６３７０号明細書
【考案の概要】
【考案が解決しようとする課題】
【０００５】
しかしながら、くじによる抽選の場合、抽選を行うためにくじの箱や回転抽選機などを設置する場所、すなわち、抽選会場や、抽選会場を案内するための看板や、抽選を見届ける人手などが必要となり経費がかかる。
【０００６】
また、客にとっては、抽選会場を探してその場所まで移動しなければならず、手間がかかる。さらに、一般的には、はずれやそれと同等と考えられる景品がくじの大半を占めるため、抽選に参加した客のうち、ごく限られた人数の客だけがくじによって景品を得ることとなる。したがって、その手間と景品との兼ね合いから抽選会に参加しない客も多い。
【０００７】
そこで、本考案は、上述した課題を解決するためになされたものであり、その目的は、顧客のキャンペーンへの参加率を上昇させて店の販売促進を効果的に行うことができる販売促進用台紙を提供することにある。
【課題を解決するための手段】
【０００８】
本考案に係る販売促進用台紙は、しるしを付するための複数の位置ガイド部と、前記複数の位置ガイド部を囲む枠と、を備え、店が定める特定のしるしを顧客が集め、当該顧客が所定数の前記しるしを前記位置ガイド部に付することによって、当該顧客が前記しるしの所定数に応じた特典を獲得することができるものであって、前記顧客が前記店で使用することができるクーポンを表示するクーポン表示部を備えることを特徴とする。
【０００９】
また、本考案に係る販売促進用台紙は、前記クーポン表示部が、前記枠の外に配置されることとすることができる。
【００１０】
さらに、本考案に係る販売促進用台紙は、前記クーポンが、前記特典の一つであることとすることができる。
【００１１】
またさらに、本考案に係る販売促進用台紙は、前記クーポンが、前記顧客が前記店の商品を割引で買うことができる割引券であることとすることができる。
【００１２】
さらにまた、本考案に係る販売促進用台紙は、前記クーポンが、前記顧客が前記店の商品を数日間割引で買うことができるクーポンパスであることとすることができる。
【００１３】
また、本考案に係る販売促進用台紙は、前記クーポンが、前記顧客が前記店の商品を割引で買うことができる複数の割引券を一綴りにしたもぎりであることとすることができる。
【００１４】
さらに、本考案に係る販売促進用台紙は、前記クーポン表示部が、当該販売促進用台紙と別体の紙に備えられることとすることができる。
【考案の効果】
【００１５】
本考案によれば、顧客のキャンペーンへの参加率を上昇させて店の販売促進を効果的に行うことができる販売促進用台紙を提供することができる。
【図面の簡単な説明】
【００１６】
【図１】本実施形態に係る販売促進用台紙の構成例を示す概略図である。
【図２】本実施形態に係るクーポンパスを例示する図である。
【図３】本実施形態に係るもぎりを例示する図である。
【図４】本実施形態に係る販売促進用台紙の使用状態を示す第一の概略図である。
【図５】本実施形態に係る販売促進用台紙の使用状態を示す第二の概略図である。
【図６】第一の変形例に係る販売促進用台紙を示す概略図である。
【図７】第二の変形例に係る販売促進用台紙を示す概略図である。
【図８】販売促進用台紙と別体の紙にクーポン表示部が備えられた状態を例示する概略図である。
【考案を実施するための形態】
【００１７】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１８】
まず、本実施形態に係る販売促進用台紙１０の構成例について、図１ないし図３を用いて説明する。ここで、図１は、本実施形態に係る販売促進用台紙１０の構成例を示す概略図である。また、図２は、本実施形態に係るクーポンパス３０を例示する図であり、図３は、本実施形態に係るもぎり４０を例示する図である。
【００１９】
図１に示すように、本実施形態に係る販売促進用台紙１０は、しるしを付するための位置ガイド部１１と、位置ガイド部１１を囲む枠１３と、顧客が店で使用することができるクーポンを表示するクーポン表示部２１と、を含む。
【００２０】
しるしは、店などによって開催される販売促進としてのキャンペーンで指定され、共通であり、また、他と区別できるものであれば良い。しるしとしては、例えば、店などから配布されるシールやスタンプ、特殊な形状の穴を開けるのに用いられるクラフトパンチ等によって開けられる穴などを用いることができる。
【００２１】
販売促進用台紙１０は、例えば、シート状のものであって、しるしを付することができるものであれば良い。販売促進用台紙１０は、しるしとして用いられるものに合わせて、利用しやすいように、適宜に変更・選択することができる。
【００２２】
位置ガイド部１１は、しるしを付する位置を案内するためのものである。図１では、位置ガイド部１１の形状は四角であるが、例えば、円形など適宜に選択することができる。また、位置ガイド部１１の形状は、しるしを付する位置がわかりやすいように、しるしの形状に合わせることが好ましいが、単に位置ガイド部１１がしるしを付する位置を示すだけであって、しるしの形状とは異なっていても良い。
【００２３】
位置ガイド部１１は、図１に示すように、販売促進用台紙１０に複数配置される。本実施形態に係る販売促進用台紙１０は、２５個の位置ガイド部１１を有して構成されているが、位置ガイド部１１の数は、キャンペーンの内容や期間などに応じて適宜に変更・選択が可能である。
【００２４】
本実施形態に係る位置ガイド部１１には、図１に示すように、数字が描かれている。このように、位置ガイド部１１に数字が描かれていることによって、しるしを付する順番が分かりやすくなり、誰でも簡単に、かつ、迅速にしるしを付することができる。また、顧客がしるしを集め、位置ガイド部１１に描かれている数字が増えていくことによって顧客のキャンペーンへの参加の意欲が喚起されることが期待される。なお、本実施形態では、位置ガイド部１１に描かれている数字が昇順になっているが、降順としても良いし、ランダムとしても良い。
【００２５】
また、本実施形態では、図１に示すように、位置ガイド部１１に図柄が描かれている。本実施形態では、位置ガイド部１１に描かれている図柄は、しるしの所定数に応じて顧客が獲得することができる特典を表している。このように、顧客が獲得することができる特典を図柄で表すことによって、顧客はあとどれくらいでどのような特典を獲得することができるのか認識することができるので、顧客のキャンペーンへの参加の意欲を喚起させることが期待される。なお、本実施形態では、図１に示すように、顧客がしるしを１０個、１５個、２０個又は２５個集めることによって顧客が特典を獲得することができるようになっているが、当該しるしの数は適宜に変更・選択が可能である。
【００２６】
さらに、本実施形態では、図１に示すように、位置ガイド部１１に文字が描かれている。本実施形態では、数字の“１”が描かれた位置ガイド部１１に“Ｓｔａｒｔ”の文字が描かれている。また、顧客が特典を獲得することができるしるしの所定数の位置ガイド部１１に“Ｇｅｔ”の文字が描かれている。すなわち、上述したように、本実施形態では、顧客がしるしを１０個、１５個、２０個又は２５個集めることによって、顧客が特典を獲得することができるようになっているので、当該数が描かれている位置ガイド部１１に“Ｇｅｔ”の文字が描かれている。
【００２７】
顧客が獲得することができる特典は、例えば、しるしの所定数に応じた商品を特別価格で購入することができるということとすることができる。しかし、特典はこれに限定されるものではなく、例えば、しるしの所定数に応じた景品と販売促進用台紙１０を交換することとすることもできる。
【００２８】
複数の位置ガイド部１１は、図１に示すように、枠１３で囲まれる。枠１３は、複数配置される位置ガイド部１１全体の外郭となるものである。枠１３は、複数の位置ガイド部１１の外周と一体となって構成されていても、位置ガイド部１１の一部と接していても、また、位置ガイド部１１から離れて形成されていても良い。枠１３の形状は、位置ガイド部１１の形状や数などに応じて、例えば、四角形や円形など適宜に変更・選択することができる。また、枠１３の大きさは、最大で販売促進用台紙１０と略同寸法とすることができる。
【００２９】
クーポン表示部２１は、顧客が店などで使用することができるクーポンを表示するものである。本実施形態では、クーポン表示部２１は、図１に示すように、枠１３の外であって、位置ガイド部１１と枠１３の外周の一部とクーポン表示部２１の外周の一部とが一体となるように配置される。本実施形態では、クーポン表示部２１が２個配置されているが、この数は適宜に変更・選択が可能である。また、本実施形態では、顧客がしるしを１０個又は２０個集めた後にクーポンを獲得することができるように、クーポン表示部２１は、数字の“１０”及び“２０”が描かれた位置ガイド部１１に隣接して配置されているが、クーポン表示部２１を配置する位置も適宜に変更・選択が可能である。なお、クーポン表示部２１は、上記に限定されず、枠１３内に配置されても良い。
【００３０】
クーポン表示部２１に表示されるクーポンは、例えば、顧客が店などの商品を割引で買うことができる割引券２２（図１参照）や、顧客が店などの商品を数日間割引で買うことができるクーポンパス３０（図２参照）、顧客が店などの商品を割引で買うことができる複数の割引券４１を一綴りにしたもぎり４０（図３参照）であることとすることができる。なお、クーポン表示部２１に表示されるクーポンは、適宜に変更・選択することができる。
【００３１】
顧客が店などの商品を割引で買うことができる割引券２２は、例えば、店などの商品をＸ（Ｘは任意の正の整数）円割引で買うことができる“Ｘ円ｏｆｆクーポン”や店などの商品をＹ（Ｙは任意の正の整数）％割引で買うことができる“Ｙ％ｏｆｆクーポン”などである。
【００３２】
顧客が店などの商品を数日間割引で買うことができるクーポンパス３０は、例えば、店などの商品をＺ（Ｚは任意の正の整数）日間Ｙ％割引で買うことができる“Ｙ％ｏｆｆクーポンパス”などである。図２に示すように、クーポンパス３０には、例えば、割引率や、クーポンパス３０の有効期間、クーポンパス３０を使用することができる店舗名等が記載される。また、本実施形態に係るクーポンパス３０は、顧客がクーポンパス３０を使用するときに店のＰＯＳシステムなどで読み取るためのバーコード等を有して構成される。なお、顧客が店などの商品を数日間割引で買うことができるクーポンパス３０の構成例は、上記に限定されない。
【００３３】
顧客が店などの商品を割引で買うことができる複数の割引券４１を一綴りにしたもぎり４０は、割引券４１として店などの商品をＸ（Ｘは任意の正の整数）円割引で買うことができる“Ｘ円ｏｆｆクーポン”や、割引券４１として店などの商品をＹ（Ｙは任意の正の整数）％割引で買うことができる“Ｙ％ｏｆｆクーポン”などを一綴りにしたものである。特に限定されないが、もぎりは、一枚ずつ使い易いように切り取り線４３が形成されることが好ましい。このもぎり４０を顧客が使用する際には、割引券４１を一枚ずつ切り取り線４３に沿って切り取り、使い終わった割引券４１は店によって回収されることとすることができる。
【００３４】
なお、クーポン表示部２１に表示されるクーポンは、特に限定されないが、顧客が集めるしるしの数が増えるほど、店などの商品の割引や割引率を高くすることができる。また、顧客が集めるしるしの数が増えるほど、もぎり４０の割引券４１の枚数を増やすことができる。このような構成により、店などでしるしを獲得するために、客が、店などの利用頻度、購入金額や購入商品の個数などを増やすことにつながり、客の購買行動の変化を促すことができる。また、店などにとっては、売り上げの増大、顧客の維持や顧客の獲得を期待することができるようになる。
【００３５】
本実施形態では、図１に示すように、割引券２２として顧客が店などの商品を５０円引きで買うことができる“５０円ｏｆｆクーポン”が、数字の“１０”が描かれた位置ガイド部１１に隣接して配置されるクーポン表示部２１に表示されている。また、店の商品を所定の日付まで５％割引で買うことができる“５％ｏｆｆクーポンパス”が、数字の“２０”が描かれた位置ガイド部１１に隣接して配置されるクーポン表示部２１に表示されている。
【００３６】
以上、本実施形態に係る販売促進用台紙１０の構成例について、説明した。次に、本実施形態に係る販売促進用台紙１０の使用状態について、図４および図５を用いて説明する。ここで、図４は、本実施形態に係る販売促進用台紙１０の使用状態を示す第一の概略図であり、図５は、本実施形態に係る販売促進用台紙１９の使用状態を示す第二の概略図である。
【００３７】
図４は、図１に示した販売促進用台紙１０のしるしを付する位置を案内する位置ガイド部１１に、しるしとしてのシール１５が１０枚貼付された状態を示している。
【００３８】
しるしとしてのシール１５は、キャンペーンの内容に合わせて店などから客に配布される。シール１５は、表面に図柄が印刷されるとともに、裏面に剥離紙が貼り合わされて形成されている。図柄は、開催されるキャンペーンで指定され、共通であり、また、他と区別できるものであればよい。シール１５は、例えば、客の購入金額や購入商品などに応じて、店などが客に所定のシール１５を配布することとすることができる。
【００３９】
シール１５を販売促進用台紙１０に貼付する際、シール１５の裏面の剥離紙が剥離される。剥離紙が剥離されたシール１５を位置ガイド部１１に合わせてシール１５の表面上から指などで押すことにより、シール１５の裏面に塗布されている糊などによってシール１５が位置ガイド部１１に糊着される。しるしとしてのシール１５の位置を案内する位置ガイド部１１によって、きれいに整った状態でシール１５を販売促進用台紙１０に貼付することができるようになっている。
【００４０】
一般的に、シール１５を貼り付けることは楽しさを感じることなので、客は店などでシール１５を獲得するために、店などの利用頻度、購入金額や購入商品の個数などを増やすことにつながる。したがって、客の購買行動の変化を促すことができるとともに、店などにとっては、売り上げの増大、顧客の維持や顧客の獲得を期待することができる。
【００４１】
客は、店などの利用頻度や購入金額または購入商品の個数などが少ない場合、シール１５を販売促進用台紙１０に貼付することができない。したがって、位置ガイド部１１に描かれているシール１５を貼付していない位置ガイド部１１の数字や獲得することができる特典は表れたままとなっている。よって、客は、特典を獲得したいという気持ちや、未完成なキャンペーン用台紙１０を完成させたいという気持ちを持つことにつながり、キャンペーンへの参加の意欲を喚起させることが期待できる。
【００４２】
図４では、上述したように、１０枚のシール１５が販売促進用台紙１０に貼付されている。したがって、顧客は、数字の“１０”が描かれていた位置ガイド部１１に描かれている特典を獲得することができる（図１参照）。上述したように、特典は、例えば、１０枚のシール１５に応じた商品を特別価格で購入することができることとすることができる。また、例えば、１０枚のシール１５に応じた景品と販売促進用台紙１０を交換することとすることもできる。
【００４３】
本実施形態において、顧客が１０枚のシール１５に応じた景品と販売促進用台紙１０を交換する場合には、図４に示す状態が完成した状態である。しかし、客が数字の“１５”や“２０”、“２５”が描かれた位置ガイド部１１に描かれている特典を獲得しようとしている場合や、クーポン表示部２１に表示されたクーポンを獲得しようとしている場合には、図１に示す状態は未完成の状態となる。
【００４４】
図４に示すように、１０枚のシール１５が販売促進用台紙１０に貼付されるとともに顧客が数字の“１０”が描かれていた位置ガイド部１１に描かれている特典を獲得しない場合、顧客は、数字の“１５”が描かれた位置ガイド部１１に隣接して配置されるクーポン表示部２１に表示されている“５０円ｏｆｆクーポン”を獲得することができる。
【００４５】
顧客が数字の“１５”が描かれた位置ガイド部１１に隣接して配置されるクーポン表示部２１に表示されている“５０円ｏｆｆクーポン”を店などで使用すると、図５に示すように、当該クーポン表示部２１に、顧客が当該クーポンを使用したことを表すスタンプ等が押印される。
【００４６】
ここで、本実施形態では、顧客がクーポン表示部２１に表示されるクーポンを使用しても、シール１５の収集を続けることができるようになっている。すなわち、顧客は、図５に示す状態から引き続き、販売促進用台紙１０の位置ガイド部１１にシール１５を貼付することができる。
【００４７】
より詳しくは、１５枚のシール１５が販売促進用台紙１０に貼付されると、顧客は、数字の“１５”が描かれている位置ガイド部１１に描かれている特典を獲得することができる。また、２０枚のシール１５が販売促進用台紙１０に貼付されると、顧客は、数字の“２０”が描かれていた位置ガイド部１１に描かれている特典を獲得することができる。さらに、２０枚のシール１５が販売促進用台紙１０に貼付されるとともに顧客が数字の“２０”が描かれていた位置ガイド部１１に描かれている特典を獲得しない場合、顧客は、数字の“２０”が描かれた位置ガイド部１１に隣接して配置されるクーポン表示部２１に表示されている“５％クーポンパス”を獲得することができる（図２参照）。さらにまた、２５枚のシール１５が販売促進用台紙１０に貼付されると、顧客は、数字の“２５”が描かれていた位置ガイド部１１に描かれている特典を獲得することができる。
【００４８】
以上、本実施形態に係る販売促進用台紙１０の使用状態について説明した。次に、本実施形態に係る販売促進用台紙１０の第一の変形例について説明する。なお、上述した実施形態と同一又は類似する構成については、同じ符号を付して説明を省略する場合がある。ここで、図６は、第一の変形例に係る販売促進用台紙１００を示す概略図である。
【００４９】
第一の変形例に係る販売促進用台紙１００は、図６に示すように、しるしとしてのシール１５を付するための位置ガイド部１１と、位置ガイド部１１を囲む枠１３と、顧客が店で使用することができるクーポンを表示するクーポン表示部２１と、を含む。
【００５０】
第一の変形例に係る販売促進用台紙１００は、図６に示すように、２５個の位置ガイド部１１を有して構成されている。位置ガイド部１１には、上述した実施形態と同様に、数字や図柄が描かれている。また、本変形例では、位置ガイド部１１に文字が描かれている。本変形例では、上述した実施形態と同様に、顧客がしるしとしてのシール１５を１０枚、１５枚、２０枚又は２５枚集めることによって顧客が特典を獲得することができるようになっている。
【００５１】
図６に示すように、複数の位置ガイド部１１は、枠１３で囲まれる。この枠１３は、複数の位置ガイド部１１の外周と一体となって構成されている。
【００５２】
クーポン表示部２１は、顧客が店などで使用することができるクーポンを表示するものである。第一の変形例に係る販売促進用台紙１００では、クーポン表示部２１は、図６に示すように、枠１３の外であって、位置ガイド部１１と枠１３の外周の一部とクーポン表示部２１の外周の一部とが一体となるように配置される。本変形例では、図６に示すように、クーポン表示部２１が３個配置されている。本変形例では、顧客がしるしとしてのシール１５を１０枚、２０枚又は２５枚集めた後にクーポンを獲得することができるように、クーポン表示部２１が数字の“１０”、“２０”及び“２５”が描かれた位置ガイド部１１に隣接して配置されている。上述したように、クーポン表示部２１を配置する位置は、適宜に変更・選択が可能である。
【００５３】
クーポン表示部２１に表示されるクーポンは、例えば、顧客が店の商品を割引で買うことができる割引券２２（図１参照）や、顧客が店の商品を数日間割引で買うことができるクーポンパス３０（図２参照）、顧客が店の商品を割引で買うことができる複数の割引券４１を一綴りにしたもぎり４０（図３参照）であることとすることができる。
【００５４】
第一の変形例に係る販売促進用台紙１００では、顧客がしるしとしてのシール１５を１０枚、２０枚又は２５枚集めると、顧客が店の商品を割引で買うことができる複数の割引券４１を一綴りにしたもぎり４０を獲得することができるようになっている。より詳しくは、顧客が１０枚のシール１５を集めると、顧客は、割引券４１として店などの商品を３％割引で買うことができる“３％ｏｆｆクーポン”が５枚一綴りになったもぎり４０を獲得することができるようになっている。また、顧客が２０枚のシール１５を集めると、顧客は、割引券４１として店などの商品を５％割引で買うことができる“５％ｏｆｆクーポン”が５枚一綴りになったもぎり４０を獲得することができるようになっている。さらに、顧客が２５枚のシール１５を集めると、顧客は、割引券４１として店などの商品を８％割引で買うことができる“８％ｏｆｆクーポン”が５枚一綴りになったもぎり４０を獲得することができるようになっている。
【００５５】
本変形例では、顧客が集めるシール１５の枚数が増えるほど、店などの商品の割引率が高いもぎり４０を獲得することができるようになっている。このような構成により、店などでシール１５を獲得するために、客が、店などの利用頻度、購入金額や購入商品の個数などを増やすことにつながり、客の購買行動の変化を促すことができる。また、店などにとっては、売り上げの増大、顧客の維持や顧客の獲得を期待することができるようになっている。
【００５６】
以上、第一の変形例に係る販売促進用台紙１００について、説明した。次に、第二の変形例に係る販売促進用台紙２００について、説明する。なお、上述した実施形態と同一又は類似する構成については、同じ符号を付して説明を省略する場合がある。ここで、図７は、第二の変形例に係る販売促進用台紙２００を示す概略図である。
【００５７】
第二の変形例に係る販売促進用台紙２００は、図７に示すように、しるしとしてのシール１５を付するための位置ガイド部１１と、位置ガイド部１１を囲む枠１３と、顧客が店で使用することができるクーポンを表示するクーポン表示部２１と、を含む。
【００５８】
第二の変形例に係る販売促進用台紙２００は、図７に示すように、２５個の位置ガイド部１１を有して構成されている。位置ガイド部１１には、上述した実施形態と同様に、数字や図柄が描かれている。また、本変形例では、位置ガイド部１１に文字が描かれている。本変形例では、上述した実施形態と同様に、顧客がしるしとしてのシール１５を１０枚、１５枚、２０枚又は２５枚集めることによって顧客が特典を獲得することができるようになっている。
【００５９】
図７に示すように、複数の位置ガイド部１１は、枠１３で囲まれる。この枠１３は、複数の位置ガイド部１１の外周と一体となって構成されている。
【００６０】
クーポン表示部２１は、顧客が店などで使用することができるクーポンを表示するものである。第二の変形例に係る販売促進用台紙２００では、クーポン表示部２１は、図７に示すように、枠１３の外に配置される。本変形例では、クーポン表示部２１が、枠１３の下方に２個隣接して配置されている。本変形例では、顧客がしるしとしてのシール１５を１０枚又は２０枚集めた後にクーポンを獲得することができるように、クーポン表示部２１には、“シール１０枚”と“５％ｏｆｆクーポン５枚”、“シール２０枚”と“５％ｏｆｆクーポン１０枚”の文字が描かれている。なお、本変形例では、２個のクーポン表示部２１が隣接して配置されているが、複数のクーポン表示部２１の間の距離は、適宜に変更が可能である。
【００６１】
第二の変形例に係る販売促進用台紙２００は、顧客がしるしとしてのシール１５を１０枚又は２０枚集めると、顧客が店などの商品を割引で買うことができる複数の割引券４１を一綴りにしたもぎり４０を獲得することができるようになっている。より詳しくは、顧客が１０枚のシール１５を集めると、顧客は、割引券４１として店などの商品を５％割引で買うことができる“５％ｏｆｆクーポン”が５枚一綴りになったもぎり４０を獲得することができるようになっている。また、顧客が２０枚のシール１５を集めると、顧客は、割引券４１として店などの商品を５％割引で買うことができる“５％ｏｆｆクーポン”が１０枚一綴りになったもぎり４０を獲得することができるようになっている。
【００６２】
本変形例では、顧客が集めるしるしとしてのシール１５の数が増えるほど、顧客が獲得することができるもぎり４０の割引券４１の枚数が増えるようになっている。このような構成により、店などでシール１５を獲得するために、客が、店などの利用頻度、購入金額や購入商品の個数などを増やすことにつながり、客の購買行動の変化を促すことができる。また、店などにとっては、売り上げの増大、顧客の維持や顧客の獲得を期待することができるようになっている。
【００６３】
以上、第二の変形例に係る販売促進用台紙２００について、説明した。
【００６４】
以上、本考案の好適な実施形態について説明したが、本考案の技術的範囲は上記実施形態に記載の範囲には限定されない。上記実施形態には、多様な変更又は改良を加えることが可能である。
【００６５】
例えば、上述した実施形態では、クーポン表示部２１が販売促進用台紙１０，１００，２００に備えられる構成となっているが、図８に示すように、クーポン表示部２１は販売促進用台紙１０，１００，２００と別体の紙３００に備えることが可能である。
【００６６】
また例えば、上述した実施形態では、顧客がクーポン表示部２１に表示されるクーポンを使用した場合、顧客が当該クーポンを使用したことを表すスタンプ等が押印されることとしているが、当該スタンプ等を押さずに販売促進用台紙１０，１００，２００を回収することとしても良い。
【００６７】
また例えば、上述した実施形態では、図１を参照して説明したように、２０枚のシール１５が販売促進用台紙１０に貼付されるとともに顧客が数字の“２０”が描かれていた位置ガイド部１１に描かれている特典を獲得しない場合、顧客は、数字の“２０”が描かれた位置ガイド部１１に隣接して配置されるクーポン表示部２１に表示されている“５％クーポンパス” （図２参照）を獲得することができるものであった。しかしながら、シール１５を所定枚数集めた場合に獲得できる特典と、クーポン表示部２１に表示されている“５％クーポンパス” （図２参照）等の特典の両方を、顧客に対して提供するようにすることも可能である。シール１５を収集して特典を得る販売促進方法と、クーポン表示部２１を利用して買い物の割引を得る販売促進方法とは、それぞれ趣向が異なっているものであるから、両者を同時に顧客が獲得できるようにすることで、さらに顧客のキャンペーンへの参加率を上昇させることが可能となり、店の販売促進を効果的に向上させることが実現される。
【００６８】
その様な変更又は改良を加えた形態も本考案の技術的範囲に含まれ得ることが、実用新案登録請求の範囲の記載から明らかである。
【符号の説明】
【００６９】
１０，１００，２００  販売促進用台紙、１１  位置ガイド部、１３  枠、１５  シール、２１  クーポン表示部、２２，４１  割引券、３０  クーポンパス、４０  もぎり、４３  切り取り線、３００  紙。
【図１】
0003204782.tif 000003
【図２】
0003204782.tif 000004
【図３】
0003204782.tif 000005
【図４】
0003204782.tif 000006
【図５】
0003204782.tif 000007
【図６】
0003204782.tif 000008
【図７】
0003204782.tif 000009
【図８】
0003204782.tif 000010